(57)【特許請求の範囲】
【請求項１】
前部と後部とを有し、前部に陰茎出し入れ用の開口部が設けられた男性用下着であって、
前記開口部の内側に、開口部を通して陰茎とともに出し入れ可能で、排尿時に陰茎の下方に垂下され、排尿後の陰茎収納時に陰茎の先端を下方から覆う、吸水性材料からなるシート状の出し入れ片を設けたことを特徴とする男性用尿漏れ対策下着。
【請求項２】
請求項１において、
前記出し入れ片の長手方向中間部には、出し入れ片の上方において出し入れ片との間に陰茎が通され、陰茎が通された状態で、排尿時に陰茎の下方に出し入れ片を保持する保持部が設けられていることを特徴とする男性用尿漏れ対策下着。
【発明の詳細な説明】
【技術分野】
【０００１】
本発明は、男性用尿漏れ対策下着に関するものである。
【背景技術】
【０００２】
従来、例えば特許文献１に見られるように、前部と後部とを有し、前部に陰茎出し入れ用の開口部（ＡＳ，ＡＳ’）が設けられた男性用下着が知られている。この男性用下着は、着用感を低下させることなく、尿吸収体をパンツを着用したまま容易に取り替えると共に、取り付けられた尿吸収体（ＮＬ）の位置ズレを効果的に防止するようにしたものである。
また、従来、例えば特許文献２に見られるように、男性器陰茎の形状に合わせた筒型袋からなる尿漏れ吸収サックも知られている。
【先行技術文献】
【特許文献】
【０００３】
【特許文献１】特許第４０１５６７５号公報
【特許文献２】実用新案登録第３１２９５１１号公報
【発明の概要】
【発明が解決しようとする課題】
【０００４】
一般に、男性においては、排尿後、陰茎をズボンあるいは下着内に収納する際、多少の残尿がある場合があり、その場合、その残尿が、ズボンや下着の外面に付着して汚してしまうことがある。
【０００５】
上述した特許文献１記載の男性用下着は、下着内に尿吸収体を取り付けたものであるから、陰茎が下着内に収納された状態での尿漏れには対処可能と考えられるが、上記のような排尿後の陰茎収納時における残尿によるズボン等の外面汚れについては、これを防止することができない。
【０００６】
上述した特許文献２のサックによれば、排尿後に、同サックを陰茎に被せて陰茎とともに収納するようにすれば、上記のような排尿後の陰茎収納時における残尿によるズボン等の外面汚れを防止することはできるかも知れない。
しかし、その場合、放尿時には、サックを手に持っておく等の措置が必要であるし、放尿後には、サックの中に陰茎を入れる操作も必要であり、それらの作業は非常に煩雑である。
【０００７】
本発明が解決しようとする課題は、排尿後の陰茎収納時における残尿によるズボン等の外面汚れを容易に防止することができる男性用尿漏れ対策下着を提供することである。
【課題を解決するための手段】
【０００８】
上記課題を解決するために本発明の男性用尿漏れ対策下着は、
前部と後部とを有し、前部に陰茎出し入れ用の開口部が設けられた男性用下着であって、
前記開口部の内側に、開口部を通して陰茎とともに出し入れ可能で、排尿時に陰茎の下方に垂下され、排尿後の陰茎収納時に陰茎の先端を下方から覆う、吸水性材料からなるシート状の出し入れ片を設けたことを特徴とする。
この男性用尿漏れ対策下着によれば、
排尿時には、陰茎とともに出し入れ片を下着の外部に出して放尿することができる。この際、出し入れ片は陰茎の下方に垂下されるので、放尿の邪魔にはならない。そればかりか、放尿時に、ズボン等の側に飛散することのある飛沫がズボン等に付着することを防止することも可能となる。
排尿後の陰茎収納時には、出し入れ片で陰茎の先端を下方から覆い、そのまま陰茎とともに出し入れ片を下着内に収納することができるので、仮に多少の残尿があったとしても、その残尿は出し入れ片で吸収されることとなる。したがって、排尿後の陰茎収納時における残尿によるズボン等の外面汚れを防止することができる。
以上のように、この男性用尿漏れ対策下着によれば、排尿時には陰茎とともに出し入れ片を下着の外部に出して排尿し、陰茎収納時には出し入れ片で陰茎の先端を下方から覆って陰茎とともに出し入れ片を下着内に収納することによって、煩雑な作業無しに、容易に残尿によるズボン等の外面汚れを防止することができる。
しかも、放尿時における、飛沫によるズボン等の汚れも防止することが可能となる。
【０００９】
この男性用尿漏れ対策下着においては、
前記出し入れ片の長手方向中間部には、出し入れ片の上方において出し入れ片との間に陰茎が通され、陰茎が通された状態で、排尿時に陰茎の下方に出し入れ片を保持する保持部が設けられている構成とすることができる。
このように構成すると、陰茎と出し入れ片とが保持部によって繋がれた状態となるので、陰茎ととにに出し入れ片を出し入れしやすくなるとともに、排尿時における出し入れ片の垂下状態を、より適切な状態とすることが可能となる。
【図面の簡単な説明】
【００１０】
【図１】本発明に係る男性用尿漏れ対策下着の一実施の形態を示す図で、（ａ）は正面図、（ｂ）は図（ａ）におけるｂ−ｂ概略断面図、（ｃ）は図（ａ）におけるｃ−ｃ概略断面図、（ｄ）は図（ｃ）におけるｄ−ｄ概略端面図、（ｅ）は下着前部を内側斜め上方（図（ｂ）における矢印ｅ方向）からみた部分省略斜視図。
【図２】使用状態を示す図で、（ａ）は側面図、（ｂ）は正面図、（ｃ）は斜視図。
【図３】使用状態を示す図で、（ａ）は側面図、（ｂ）は正面図、（ｃ）は斜視図、（ｄ）は変形例を示す側面図。
【図４】他の実施の形態を示す概略端面図（図１（ｃ）におけるｄ−ｄ概略端面図に相当する図）。
【発明を実施するための形態】
【００１１】
以下、本発明に係る男性用尿漏れ対策下着の実施の形態について図面を参照して説明する。なお、各図において、同一部分ないし相当する部分には、同一の符号を付してある。
【００１２】
図１に示すように、この男性用尿漏れ対策下着１０は、前部１１と後部１２とを有し、前部１１に陰茎出し入れ用の開口部１３が設けられている。
開口部１３の内側には、開口部１３を通して陰茎Ｐ（図２参照）とともに出し入れ可能で、排尿時に陰茎の下方に垂下され、排尿後の陰茎収納時に陰茎Ｐの先端Ｐ１を下方から覆う（図３参照）、吸水性材料からなる出し入れ片１４が設けられている。
【００１３】
この男性用尿漏れ対策下着（単に下着ともいう）１０によれば、次のような作用効果が得られる。
排尿時には、図２に示すように、陰茎Ｐとともに出し入れ片１４を下着の外部に出して放尿することができる。図２（ａ）において、２０はズボン等、下着の上にはく衣類である。排尿の際、出し入れ片１４は陰茎Ｐの下方に垂下されるので、放尿Ｎの邪魔にはならない。そればかりか、放尿時に、ズボン等２０の側に飛散することのある飛沫は、出し入れ片１４の垂下部１４ｂで阻止されるので、阻止される範囲内においては、飛沫がズボン等（ズボン等を装着していない場合には下着や身体）に付着することを防止することも可能となる。
【００１４】
排尿後の陰茎収納時には、図３に示すように、出し入れ片１４で陰茎Ｐの先端Ｐ１を下方から覆い、そのまま陰茎Ｐとともに出し入れ片１４を下着１０内に収納することができる。そのため、仮に多少の残尿があったとしても、その残尿は出し入れ片１４で吸収されることとなる。したがって、排尿後の陰茎収納時における残尿によるズボン等の外面汚れを防止することができる。
【００１５】
以上のように、この男性用尿漏れ対策下着１０によれば、排尿時には陰茎とともに出し入れ片１４を下着１０の外部に出して排尿し、陰茎収納時には出し入れ片１４で陰茎の先端を下方から覆って陰茎とともに出し入れ片１４を下着１０内に収納することによって、煩雑な作業無しに、容易に残尿によるズボン等の外面汚れを防止することができる。
しかも、放尿時における、飛沫によるズボン等の汚れも防止することが可能となる。
【００１６】
図１〜図３に示すように、出し入れ片１４の長手方向中間部には、出し入れ片１４の上方において出し入れ片１４との間に陰茎Ｐが通され、陰茎Ｐが通された状態で、排尿時に陰茎Ｐの下方に出し入れ片１４を保持する保持部１５が設けられている。
なお、陰茎Ｐは下着１０の装着時に、出し入れ片１４と保持部１５との間に通しておく。
【００１７】
このように構成すると、陰茎Ｐと出し入れ片１４とが保持部１５によって繋がれた状態となるので、陰茎Ｐととにに出し入れ片１４を出し入れしやすくなるとともに、例えば図２に示すように、排尿時における出し入れ片１４の垂下状態を、より適切な状態（ズボン等２０と出し入れ片１４の垂下部１４ｂとの間隔を適切な状態）とすることが可能となる。
【００１８】
図４は変形例を示す図で、この男性用尿漏れ対策下着１０’は、陰嚢収納部１６と、陰茎収納部１７とを別々に設け、陰茎収納部１７に、出し入れ片１４を設けたものである。
このように構成すると、下着内において陰嚢と陰茎とが接触することによる蒸れを防止することができ、より快適な男性用尿漏れ対策下着とすることができる。
【００１９】
男性用尿漏れ対策下着１０の基本構成は、公知の構成を採用することができ、したがって、前部１１、後部１２、および開口部１３の構成も公知の構成を採用することができる。図においてＳは逢着部を示している。開口部１３は、２枚の布片を重ね合わせて、それぞれの布片の左右どちらか一方の辺のみを逢着（Ｓ）することによって形成することができる。
【００２０】
また、この男性用尿漏れ対策下着１０を構成する素材も公知の下着用素材を採用することができる。
出し入れ片１４の素材は、吸水性が有る適宜の素材を採用し得る。公知の下着用素材を用いることもできる。
【００２１】
出し入れ片１４は、その基部１４ｃを、下着本体に逢着（Ｓ）することによって、下着内部に取り付ける。
出し入れ片１４の長さは適宜設定することができる。図３（ｄ）に示すように、陰茎Ｐの先端Ｐ１を下方から覆い、さらに、保持部１５に通すことができる長さとすることもできる。そのようにすると、さらに、陰茎Ｐととにに出し入れ片１４を出し入れしやすくなる。
出し入れ片１４の幅も適宜設定できるが、少なくとも、垂下部１４ｂの幅Ｗ１（図２（ｂ）参照）は、飛沫をある程度効果的に防止できる幅（例えば、５〜１５ｃｍ）程度とする。
【００２２】
保持部１５の素材も適宜採用することができる。公知の下着用素材を用いることもできる。
保持部１５の幅Ｗ２（図２（ａ）参照）は、陰茎Ｐの先端Ｐ１を覆わない範囲で適宜設定することができる。保持部１５の幅Ｗ２を例えば図２（ａ）に仮想線１５で示すように陰茎Ｐの先端Ｐ１側に延ばした場合、その範囲（Ｗ２’）においては、出し入れ片１４と保持部１５とで筒状部が形成される。
【００２３】
以上、本発明の実施の形態について説明したが、本発明は上記の実施の形態に限定されるものではなく、本発明の要旨の範囲内において適宜変形実施可能である。
【符号の説明】
【００２４】
Ｐ：    陰茎
Ｐ１：    先端
１０：    男性用尿漏れ対策下着
１１：    前部
１２：    後部
１３：    開口部
１４：    出し入れ片
１５：    保持部
【要約】
【課題】排尿後の陰茎収納時における残尿によるズボン等の外面汚れを容易に防止することができる男性用尿漏れ対策下着を提供する。
【解決手段】下着前部に設けられた陰茎出し入れ用の開口部１３の内側に、開口部１３を通して陰茎Ｐとともに出し入れ可能で、排尿時に陰茎の下方に垂下され、排尿後の陰茎収納時に陰茎の先端を下方から覆う、吸水性材料からなる出し入れ片１４を設けた。出し入れ片１４の長手方向中間部には、出し入れ片１４の上方において出し入れ片１４との間に陰茎Ｐが通され、陰茎が通された状態で、排尿時に陰茎の下方に出し入れ片１４を保持する保持部１５を設けた
【選択図】図２【図１】
0005608302.tif 000002
【図２】
0005608302.tif 000003
【図３】
0005608302.tif 000004
【図４】
0005608302.tif 000005